(57)【要約】      （修正有）【課題】構造が簡単で、男女間の性行為を満足させることができる陰茎勃起補助具を提供する。【解決手段】補助具の筒体１は、中硬な合成樹脂でできていて、筒体１の外壁部２の外側に逆止弁５を溶着し、外壁部２の一方を内側に折り返し差し入れて内壁部３となり内壁部３の先端を外壁部２の先端より伸延させ、外壁部２の外側の逆止弁５寄りに鍔１１を周回状に接合し伸延した内壁部３の外側の外周に円筒形の膨張壁部４を接合し、他方を折り返して外壁部２の外周に周回状に接合する。【選択図】図２９
0003164717.tif 000002
【実用新案登録請求の範囲】
【請求項１】
筒体（１）は中硬な合成樹脂でできていて筒体１の外壁部（２）の外側に逆止弁（５）を溶着し、外壁部（２）の一方を内側に折り返し差し入れ内壁部（３）となり、内壁部（３）の先端部と外壁部（２）の先端部を周回状に溶着した陰茎勃起補助具
【請求項２】
筒体（１）は中硬な合成樹脂でできていて筒体１の外壁部（２）の外側に逆止弁（５）を溶着し、外壁部（２）の一方を内側に折り返し差し入れ内壁部（３）となり、内壁部（３）の先端部を外壁部（２）の先端部より伸延させ、伸延した内壁部（３）の外側の外周に円筒形の膨張材を接合させ、膨張材の他方を折り返して外壁部（２）の外周に接合して膨張壁（４）を設けた陰茎勃起補助具
【請求項３】
筒体（１）は中硬な合成樹脂でできていて筒体１の外壁部（２）の外側に逆止弁（５）を溶着し、外壁部（２）の一方を内側に折り返し差し入れ内壁部（３）となり、内壁部（３）の先端部と外壁部（２）を周回状に溶着し、外壁部（２）の外側の逆止弁（５）寄りに鍔（１１）を周回状に接合した陰茎勃起補助具
【請求項４】
筒体（１）は、中硬な合成樹脂でできていて筒体（１）の外壁部（２）の外側に逆止弁（５）を溶着し、外壁部（２）の一方を内側に折り返し差し入れて内壁部（３）となり内壁部（３）の先端を外壁部（２）の先端より伸延させ、外壁部（２）の外側の逆止弁（５）寄りに鍔（１１）を周回状に接合し伸延した内壁部（３）の外側の外周に円筒形の膨張壁部（４）を接合し、他方を折り返して外壁部（２）の外周に周回状に接合した陰茎勃起補助具
【請求項５】
筒体（１）は中硬な合成樹脂のシートでできていて半分に折り曲げ重ね合わせて外壁部（２）と内壁部（３）となり外壁部（２）に逆止弁（５）を溶着し外壁部（２）の先端部（１６）と内壁部３の先端部（１６）を重ね合わせ溶着し外壁部（３）を外側にして円筒状に曲げて側端部（１８）同士と重ね合わせて溶着した陰茎勃起補助具
【考案の詳細な説明】
【技術分野】
【０００１】  本考案は男性の陰茎を容易に勃起させて多目的な用途を持つ陰茎勃起補助具にするものである。
【背景技術】
【０００２】  従来の陰茎勃起補助具には欠点が多かった膨張部分が合成樹脂のシリコン等でできているため締めつけが弱く外壁部との接続部が異質材料使用のため溶着できず接合部を接着剤で接着しているために接着部分が外れ使用不能となることが多かった。【０００３】  また従来の陰茎勃起補助具では締めつけ効果も弱く勃起状態が続かず中折れ状態になったり女性の陰核体膣の内径が大きかったりし、男女間の性行為も満足できなかった。【０００４】  従来の加圧・引圧式陰茎勃起補助具は吸引用シリンダー及び吸引用ポンプで勃起状態にさせるが、吸引用シリンダーを外した後は陰茎の根元に装着した穴あきゴムパッキンで陰茎の根元を締めつけ状態にしているが、行為中に陰茎が元の状態に戻り勃起状態が続かなかった。また、性行為の後は陰茎の根元のゴムパッキンを取り外す際に陰茎・亀頭に傷がつくことが多かった。【０００５】  従来の陰茎勃起補助具には完全な補助具がなく男女間の性行為を満たす最良の補助具がなかった。【０００６】  従来の陰茎勃起補助具は構造的にも複雑で製品の生産も一貫作業で出来なかった上、製品の欠点も多かった。
【考案の概要】
【考案が解決しようとする課題】
【０００７】  従来の陰茎勃起補助具には問題点が多かった。行為中に膨張部分が合成樹脂のシリコン等でできているため膨張能力が不足し膨張部分と外壁部との接着が異質の合成樹脂を使用しているため溶着できず接着しているため、接着部分が外れる不都合があった。従って本考案の陰茎勃起補助具は外壁部と内壁部が同質の合成樹脂でできているため溶着が可能になり空気漏れを防ぐことができるため長時間の性行為も可能になり、前述の問題点を解決しようとするものである。【０００８】  また従来の陰茎勃起補助具では、男性の陰茎への締まりが悪く行為中に陰茎が中折れ状態になったり、勃起状態が続かなく女性の陰核体・膣の大きさの違いがあるため男女間の性行為も満足できない状態であった。
従って本考案の陰茎勃起補助具は補助具の先端の膨張部分を空気によって膨張させることにより男性の亀頭・陰茎を増大させ、女性の陰核体・膣の径に合わせて膨張部が膨らむことが可能なため男女共に満足できるものである。【０００９】  従来の加圧・引圧式陰茎勃起補助具は、吸引用シリンダー及び吸引用ポンプを使用して勃起させるものであるが、吸引用シリンダーを外した後は陰茎の根元に装着した穴あきパッキンで一時的に締めつけるが、行為の途中で血液が体内に逆流して亀頭・陰茎が元の状態に戻り勃起状態が長く続かない欠点があった。また、行為後も陰茎の根元に被せたゴムパッキンを取り外す際に、無理やりに取り外すため亀頭・陰茎に傷をつけることが多かった。従って本考案の陰茎勃起補助具は従来品のゴムパッキンの代わりとして陰茎の根元を空気で締めつける方式のため亀頭・陰茎の血液が体内に逆流せず長時間勃起状態を保つことができる。また、陰茎に被せた補助具は瞬時に空気を抜くことができるため、取り外しが簡単で亀頭・陰茎には全く傷をつけない。【００１０】  また従来の陰茎勃起補助具では性行為中に問題点が多かった。補助具を用いて行為中も中折れ状態になったり、女性の陰核体・膣の径があわなかったりして男女間の性行為が満足できない状態であった。本考案の陰茎勃起補助具は、筒体１に鍔１１と膨張部４を設けることにより、男性の陰茎を勃起状態にさせて女性の陰核体・膣に容易に挿入でき、行為中にも改めて逆止弁に送気することで女性の陰核体・膣の径に合せて膨張部４が膨らむことにより体内と絡み合って亀頭９・陰茎９が抜けにくくなり長時間の性行為を続けることができる最良の陰茎勃起補助具である。【００１１】  従来の陰茎勃起補助具は構造的にも複雑で一貫作業で完成できなかった。そのため製品価格も高価である。本考案の陰茎勃起補助具は構造が簡単で一貫作業で完成できるため安価で経済的にも優れている。
【課題を解決するための手段】
【００１２】  本考案は中硬な合成樹脂（塩化ビニール）でできていて、筒体１の外壁部２の内側から逆止弁５を差し入れて外壁部２と溶着し筒体１の先端を内部に折り返し、その先端部分を外壁部２と内壁部３を溶着する。この構造だと外壁部２と内壁部３が同一材料（塩化ビニール）のため溶着が容易である。筒体１を陰茎の根元に装着して逆止弁５よりポンプ１４にて送気すると、筒体１の空気室６が膨張して内壁部３が内側に押され陰茎が締めつけられ亀頭９と陰茎８が肥大する。勃起した陰茎８を女性の陰核体・膣に挿入し性行為を行う。行為終了後は逆止弁５の蓋１０を開けて空気を抜くと瞬時に陰茎８の根元の締めつけがなくなり、勃起状態になっていた陰茎８は元の形状に戻ることによりこれまでの従来の陰茎勃起補助具の問題点を一層解決している。【００１３】  筒体１は中硬な合成樹脂（塩化ビニール）でできていて筒体１の外壁部２の内側から逆止弁５を差し入れて外壁部２と溶着し筒体１の先端を内部に折り返し、その先端部分を外壁部２の端より伸延させて切断し内壁部３の外側の周回状に膨張材（膨張壁部４）の片方を接合し他方を外壁部２の外周に折り返し周回状に接合する。この筒体１を陰茎８の根元に装着し逆止弁５よりポンプ１４で半ばまで送気すると筒体１の空気室６が膨張して内壁部３が内側に押され陰茎８が締めつけられ、続いて女性の陰核体・膣に挿入すると筒体１の膨張壁部４が膨らみ体内と絡み合って陰茎８と共に外部に露出しにくくなり男女間の性行為を満足させることができるものである。【００１４】  筒体１は中硬な合成樹脂（塩化ビニール）でできていて筒体１の外壁部２の内側から逆止弁５を差し入れて外壁部２と溶着し筒体１の先端を内部に折り返し、その先端部分を外壁部２の端より手前で切断して外壁部２と内壁部３を溶着する。筒体１の逆止弁５寄りに外壁部２の外周に鍔１１を接合することで吸引用シリンダー１３が密着して接続しやすくなる。この筒体１は陰茎８の根元に装着し吸引用シリンダー１３と接続して吸引用ポンプ１２で引圧することで亀頭９・陰茎８が増大し、勃起状態が完了後、逆止弁５から送気することで増大したままで吸引シリンダー１３を取り外せる。増大した亀頭９・陰茎８はそのままの状態で性行為を行えるものである。【００１５】  筒体１は中硬な合成樹脂（塩化ビニール）でできていて筒体１の外壁部２の内側から逆止弁５を差し入れて外壁部２と溶着し筒体１の先端を内部に折り返し、その先端部分を外壁部２の端より伸延し鍔１１を逆止弁５寄りに外壁部２に周回状に接着し伸延した内壁部３の外側に膨張材の片方を接合させ他方を外壁部２の外周（周回状）に折り返し接合する。この構造であれば筒体１を陰茎８の根元に装着し吸引用シリンダー１３と接続して吸引ポンプ１２で引圧することで亀頭９・陰茎８が勃起状態になり、増大したまま女性の陰核体膣に挿入後引き続き送気することで筒体１の膨張壁部４が増大して女性から離れにくくなるため、従来の陰茎勃起補助具で味わえなかった快感を増すことができ、また問題も解決してくれる。【００１６】    従来の陰茎勃起補助具は構造的にも複雑で製品作業も一貫してできなかった。また完成しても十分な勃起状態にならず製品も破損することが多かった。本考案は筒体（１）は中硬な合成樹脂のシートでできていて半分に折り曲げ重ね合わせて外壁部２と内壁部３となり外壁部２に逆止弁５を溶着し外壁部２の先端部１６と内壁部３の先端部１６を重ね合わせ溶着し外壁部３を外側にして円筒状に曲げて側端部１８同士と重ね合わせて溶着した陰茎勃起補助具であって、筒体１を陰茎の根元に装着して逆止弁５より送気することで内壁部３が内側に押され陰茎が勃起状態になる。
【考案の効果】
【００１７】  請求項１についての効果は、上述の様に本考案の陰茎勃起補助具は筒体１の内壁部３と外壁２が同一材料でできているため各部の溶着も容易で勃起効果にも優れ、長時間の使用にも耐えることができるため破損することがなく経済的に役立つ。【００１８】  請求項２についての効果は、請求項１の効果に加え、筒体１の膨張壁部４が膨れるため亀頭９・陰茎８が短小であっても安心して性行為ができる。女性の陰核体・膣に挿入して性行為中も逆止弁５より送気することで膨張壁部４が膨らみ体内と絡み合って抜けにくくなり、より一層の性行為ができる効果がある。【００１９】  請求項３についての効果は、請求項１の効果に加え、筒体１に鍔１１を設け、吸引用シリンダー１３と吸引用ポンプ１２を接続し、鍔１１に吸引用シリンダー１３を密着させて接続し、吸引用ポンプ１２で引圧すると体内の血液が亀頭９・陰茎８に流れ込み最大限まで勃起する。その勃起した状態のままで筒体１の逆止弁５から空気を送気する。その後、吸引用ポンプ１２のバルブを緩めて吸引用シリンダーをはずしても亀頭９・陰茎８は勃起した状態で維持され、女性の陰核体・膣に挿入すると性行為が長時間継続することができる効果がある。【００２０】  請求項４についての効果は、請求項１・２・３の効果に加え、筒体１に鍔１１を設け、吸引用シリンダー１３と吸引用ポンプ１２を接続し、鍔１１に吸引用シリンダー１３を密着させて接続し、吸引用ポンプ１２で引圧すると体内の血液が亀頭９・陰茎８に流れ込み半ばまで勃起させ、その状態で筒体１の逆止弁５から空気を送気する。その後、吸引用ポンプ１２のバルブを緩めて吸引用シリンダー１３をはずし、亀頭９・陰茎８は半ば勃起した状態で維持され、女性の陰核体・膣に挿入する。その後、再度、逆止弁５から空気を送気して膨張壁部４が膨らみ体内と絡み合って抜けにくくなり、より一層の性行為ができる効果がある。【００２１】  請求項５についての効果は請求項１と同じ効果であるが、筒体１は内壁部３と外壁部２が同一材料の中硬なシート状でできていて、各部の溶着も容易で製作も簡単であるため経済的効果にも役立つ。
【図面の簡単な説明】  請求項１から５を分けて図面を説明する。【００２２】  請求項１について説明する。
【図１】本考案の筒体１の一実施例を示す平面図である。
【図２】本考案の筒体１の一実施例を示す側面図である。
【図３】本考案の筒体１の一実施例を示す平面図である。
【図４】本考案の筒体１の一実施例を示す図３のＡ−Ａの縦断面図である。
【図５】本考案の筒体１を陰茎８に装着した陰茎８の勃起前の状態を示す図３のＡ−Ａの縦断面図である。
【図６】本考案の筒体１を陰茎８に装着して陰茎８が勃起している状態を示す図３のＡ−Ａの縦断面図である。
【図７】本考案の筒体１に用いる一実施例を示す逆止弁５の斜視図である。
【図８】本考案の筒体１に用いる一実施例を示すポンプ１４の斜視図である。
【図９】本考案の筒体１に用いる一実施例を示す筒体１の斜視図である。
【００２３】  請求項２について説明する。
【図１０】本考案の筒体１の一実施例を示す側面図である。
【図１１】本考案の筒体１の一実施例を示す平面図である。
【図１２】本考案の筒体１を陰茎８に装着した陰茎８と筒体１の勃起前の図Ａ−Ａの位置の縦断面図である。
【図１３】本考案の筒体１を陰茎８に装着した陰茎８と筒体１の勃起後の図Ａ−Ａの位置の縦断面図である。
【図１４】本考案の筒体１の一実施例を示す逆止弁５の蓋１０を開けた状態の斜視図である。
【図１５】本考案の筒体１の一実施例を示す膨張壁部４を逆止弁５から送気して膨らませ蓋１０をした状態の斜視図である。
【図１６】本考案の筒体１の一実施例を示す女性の陰核体・膣に挿入した状態の断面及び側面図である。
【図１７】本考案の筒体１の一実施例を示す女性の陰核体・膣に挿入した筒体１の先端の膨張壁部４を膨らませた状態の断面及び側面図である。
【００２４】  請求項３について説明する。
【図１８】本考案の筒体１の一実施例を示す側面図である。
【図１９】本考案の筒体１の一実施例を示す平面図である。
【図２０】本考案の筒体１の一実施例を示す筒体１の図１９のＡ−Ａの位置の縦断面図である。
【図２１】本考案の筒体１の一実施例を男性の陰茎８に装着して逆止弁５から送気後、陰茎８と亀頭９が肥大した状態を示す縦断面図である。
【図２２】本考案の筒体１の一実施例を示す斜視図である。
【図２３】本考案の筒体１の一実施例を示す筒体１と吸引用シリンダー１３を組み合わせた状態の側面図である。
【００２５】  請求項４について説明する。
【図２４】本考案の筒体１の一実施例を示す側面図である。
【図２５】本考案の筒体１の一実施例を示す平面図である。
【図２６】本考案の筒体１の一実施例を示す図２５のＡ−Ａの位置の説明なしの縦断面図である。
【図２７】本考案の筒体１の一実施例を示す図２５のＡ−Ａの位置の説明ありの縦断面図である。
【図２８】本考案の筒体１の一実施例を示す図２５のＡ−Ａの位置の説明あって逆止弁５から送気することにより内壁部３の内側が膨らみ先端の膨張壁部４が続いて膨張した状態の縦断面図である。
【図２９】本考案の筒体１の一実施例を示す斜視図である。
【図３０】本考案の筒体１の一実施例を示す筒体１を陰茎８の根元に被せ筒体１の鍔１１に吸引用シリンダー１３を装着して吸引用ポンプ１２で引圧した状態で内壁部３が内側に膨張し、陰茎８と亀頭９が増大した状態の縦断面図である。
【００２６】  請求項５について説明する。
【図３１】本考案の筒体１の一実施例を示す平面図である。
【図３２】本考案の筒体１の一実施例を示す側面図である。
【図３３】本考案の筒体１の一実施例を示す平面図である。
【図３４】本考案の筒体１の一実施例を示す底面図である。
【図３５】本考案の筒体１の一実施例を示す図３３のＡ−Ａの位置の縦断面図である。
【図３６】本考案の筒体１の一実施例を示す図３５を陰茎８の根元に装着した縦断面図である。
【図３７】本考案の筒体１の一実施例を示す図３６の筒体１に送気して亀頭９・陰茎８が勃起した状態の縦断面図である。
【図３８】本考案の筒体１の一実施例を示す逆止弁５の蓋１０を外した状態の斜視図である。
【考案を実施するための形態】
【００２７】  請求項１の考案について実施例を示すと、筒体１を陰茎８に装着する前に亀頭９と陰茎８に潤滑油（ローション）を塗り筒体１の逆止弁５の蓋１０を外し陰茎８の根元まで装着し、逆止弁５から送気ポンプ１４で半ばまで送気する。すると空気室６が空気で満たされて内壁部３が内側に押されて陰茎８が締めつけられて血液が亀頭９に送られて勃起状態になる。続いて筒体１を陰茎８の根元に引き寄せることで筒体１が陰茎８の根元に食い込み、再度逆止弁５から送気すると亀頭９・陰茎８が完全に勃起状態になる。その後、逆止弁５の蓋１０をして女性の陰核体・膣に挿入して性行為ができる。取り外しは、逆止弁５の蓋１０を外し逆止弁５の根元を指で挟むと空気が抜け、筒体１は元の形状に戻り、亀頭９・陰茎８も元の状態に戻る。空気を抜かない限り勃起状態は保たれるが１回の性行為は３０分以内で空気を抜き改めて送気すると何度でも性行為は行える。
【００２８】  請求項２の考案について実施例を示すと、筒体１を陰茎に装着する前に亀頭９と陰茎８に潤滑油（ローション）を塗り筒体１の逆止弁５の蓋１０を外し陰茎の根元まで装着し、逆止弁５から送気ポンプ１４で半ばまで送気する。すると空気室６が空気で満たされて内壁部３が内側に押されて陰茎８が締めつけられて血液が亀頭９に送られて勃起状態になる。続いて筒体１を陰茎８の根元に引き寄せることで筒体１が陰茎８の根元に食い込み、勃起効果が増す。次に女性の陰核体・膣に挿入して性行為を行いその行為の状態に合わせて送気すると膨張壁部４が膨れて体内と絡み合って亀頭９・陰茎８が抜けにくくなり性行為が満たされる。筒体１の取り外しは、逆止弁５の蓋１０を外し逆止弁５の根元を指で挟むと空気が抜け、筒体１は元の形状に戻り、亀頭９・陰茎８も元の状態に戻る。空気を抜かない限り勃起状態は保たれるが１回の性行為は３０分以内で空気を抜き改めて送気すると何度でも性行為は行える。
【００２９】  請求項３の考案について実施例を示すと、筒体１を陰茎８に装着する前に亀頭９と陰茎８に潤滑油（ローション）を塗り筒体１の逆止弁５の蓋１０を外し陰茎８の根元まで装着し、筒体１に設けた鍔１１に、接続させた吸引シリンダー１３と吸引用ポンプ１２を密着させて接続し、吸引用ポンプ１２で吸引すると吸引用シリンダー１３の内部が引圧されることにより、体内の血液が亀頭９・陰茎８におくられ最大限までの勃起状態になる。次に逆止弁５から送気し蓋１０をして吸引用ポンプ１２のバルブを開けると吸引用シリンダー１３内の引圧が低下することで吸引用シリンダー１３が外れ、亀頭９・陰茎８が増大して勃起状態になり性行為ができる。取り外しは、逆止弁５の蓋１０を外し逆止弁５の根元を指で挟むと空気が抜け、筒体１は元の形状に戻り、亀頭９・陰茎８も元の状態に戻る。空気を抜かない限り勃起状態は保たれるが１回の性行為は３０分以内で空気を抜き、改めて送気すると何度でも性行為は行える。
【００３０】  請求項４の考案について実施例を示すと、筒体１を陰茎８に装着する前に亀頭９と陰茎８に潤滑油（ローション）を塗り筒体１の逆止弁５の蓋１０を外し陰茎８の根元まで装着し、筒体１に設けた鍔１１に、接続させた吸引シリンダー１３と吸引用ポンプ１２を密着させて接続し、吸引用ポンプ１２で吸引すると吸引用シリンダー１３の内部が引圧されることにより、体内の血液が亀頭９・陰茎８に送られ最大限までの勃起状態になる。次に筒体１の逆止弁５から送気すると空気室６に空気が満たされ吸引用シリンダー１３を外しても亀頭９・陰茎８は勃起状態が続き、女性の陰核体・膣に挿入して性行為を行った後、体内に挿入した状態で再度逆止弁５の蓋１０を外して送気すると膨張壁部４が膨らみ、体内と絡み合って性行為ができる。取り外しは、逆止弁５の蓋１０を外し逆止弁５の根元を指で挟むと空気が抜け、筒体１は元の形状に戻り、亀頭９・陰茎８も元の状態に戻る。空気を抜かない限り勃起状態は保たれるが１回の性行為は３０分以内で空気を抜き、改めて送気すると何度でも性行為は行える。
【００３１】  請求項５の考案について実施例を示すと、請求項１と同じ目的であって筒体１は内壁部３と外壁部２が同一材料の中硬なシート状でできていて、各部の溶着も容易で製作も簡単であるため経済的効果にも役立つ。
【実施例】
【００３２】  以下、添付図面に従って請求項１について一実施例を説明する。
図１は、ＤＩＰ成型された筒体１の陰茎勃起補助具であって、成型完成後に逆止弁５を取り付けるための逆止弁取付け用穴５´を開けた状態を示す平面図である。
図２は、筒体１の側面図であって、筒体１の外壁部２に逆止弁５を溶着付けした状態を示す。
図３は、筒体１の平面図であって、筒体１の外壁部２に逆止弁５を溶着付けした状態を示す。
図４は、筒体１の図３のＡ−Ａの位置の縦断面図であって、外壁部２の一方を内側に折り返し差し入れ内壁部３となり、内壁部３の先端と外壁部２の先端を周回状に溶着することにより、空気室６が設けられた状態を示す。
図５は、筒体１を陰茎８の根元に装着した送気前の状態を示している縦断面図である。
図６は、筒体１を陰茎８の根元に装着して逆止弁５の蓋１０を外し送気して空気室６を膨らまし内壁部３の内側が押され陰茎８の血液が亀頭９・陰茎８に送られ勃起状態にさせたことを示す縦断面図である。
図７は、筒体１の外側に設けられる蓋１０付きの逆止弁５の斜視図である。
図８は、筒体１に送気するポンプ１４の側面図である。
図９は、筒体１の逆止弁５の蓋１０を外した状態を示す斜視図である。【００３３】  以下、添付図面に従って請求項２について一実施例を説明する。
図１０は、筒体１の外壁部２の先端に設けた膨張壁部４の側面図である。
図１１は、筒体１の外壁部２の先端に設けた膨張壁部４の平面図である。
図１２は、筒体１を陰茎８の根元に装着した送気前の状態を示す縦断面図である。
図１３は、筒体１を陰茎８の根元に装着し、逆止弁５から送気することにより空気室６が膨らみ、内壁部３が内側に押されて亀頭９・陰茎８が勃起状態になり、逆止弁５の蓋１０をした状態を示す縦断面図である。
図１４は、筒体１の逆止弁５の蓋１０を外した状態を示す斜視図である。
図１５は、筒体１の逆止弁５の蓋１０を外し送気して膨張壁部４が膨らみ、逆止弁５の蓋１０をした状態を示す斜視図である。
図１６は、筒体１を陰茎８の根元に装着し、逆止弁５から送気して陰茎８を半ばまで勃起状態にして逆止弁５の蓋１０をし、女性の陰核体・膣に挿入した状態を示す断面及び側面図である。
図１７は、筒体１を陰茎８の根元に装着し、逆止弁５から送気して陰茎８を半ばまで勃起状態にさせ、女性の陰核体・膣に挿入して再び送気することにより陰核体・膣の体内と絡み合って抜けにくくなった状態を示す断面及び側面図である。【００３４】  以下、添付図面に従って請求項３について一実施例を説明する。
図１８は、筒体１の外壁部２に逆止弁５寄りに鍔１１を周回状に接合した状態を示す側面図である。
図１９は、筒体１の外壁部２に逆止弁５寄りに鍔１１を周回状に接合した状態を示す平面図である。
図２０は、筒体１に鍔１１を接合して組み合わせた状態の図１９のＡ−Ａの位置を示す縦断面図である。
図２１は、筒体１に鍔１１を接合して陰茎８の根元に装着し吸引用シリンダー１３と吸引用ポンプ１２を組み合わせて、吸引用シリンダー１３を鍔１１に添えて吸引用ポンプ１２で引圧することで体内の血液が陰茎８・亀頭９に流れ込み増大して勃起状態になり逆止弁５から送気することで勃起状態が続くため、吸引用ポンプ１２の弁（バルブ）を開き吸引用シリンダー１３を取り外しても勃起状態が続くことを示す縦断面図である。
図２２は、筒体１の外壁部２の外周に逆止弁５寄りに鍔１１を周回状に接合した状態を示す斜視図である。
図２３は、筒体１の鍔１１に吸引用シリンダー１３と吸引用ポンプ１２を組み合わせ接続した状態を示す側面図である。【００３５】  以下、添付図面に従って請求項４について一実施例を説明する。
図２４は、筒体１に鍔１１を周回状に接合し筒体１の先端に膨張壁部４を接合した状態を示す側面図である。
図２５は、筒体１に鍔１１を周回状に接合し筒体１の先端に膨張壁部４を接合した状態を示す平面図である。
図２６は、筒体１の外壁部２の逆止弁５寄りに鍔１１を周回状に接合し、筒体１の先端部に膨張壁部４を鍔１１に接合した状態を示す図２５のＡ−Ａの位置の縦断面図である。
図２７は、筒体１の外壁部２の逆止弁５寄りに鍔１１を周回状に接合し、筒体１の先端部に膨張壁部４を鍔１１に接合した状態を示す図２５のＡ−Ａの位置を詳しく説明した状態を示す縦断面図である。
図２８は、筒体１に設けた鍔１１に、接続させた吸引シリンダー１３と吸引用ポンプ１２を密着させて接続し、吸引用ポンプ１２で引圧した後、逆止弁５から送気することで空気質６が膨らみ内壁部３が内側に押され、続いて送気することにより膨張壁部４が膨張した後、逆止弁５の蓋１０をした状態を示す縦断面図である。
図２９は、筒体１に設けた鍔１１に、接続させた吸引シリンダー１３と吸引用ポンプ１２を密着させて接続し、吸引用ポンプ１２で引圧した後、逆止弁５から送気することで空気質６が膨らみ内壁部３が内側に押され、続いて送気することにより膨張壁部４が膨張した後、逆止弁５の蓋１０をした状態を示す斜視図である。
図３０は、筒体１に鍔１１を周回状に接合し筒体１の先端に膨張壁部４を設けた筒体１を陰茎８の根元に装着して吸引用シリンダー１３と吸引用ポンプ１２を接続して鍔１１に密着させて接続し、吸引用ポンプ１２で引圧することで吸引用シリンダー１３の内部が引圧されて陰茎８と亀頭９が増大し勃起状態になり、逆止弁５から送気することで陰茎８と亀頭９の血液が体内に逆流することなく勃起状態が続いている状態を示す縦断面図及び側面図である。【００３６】  以下、添付図面に従って請求項５について一実施例を説明する。
図３１は、筒体（１）は中硬な合成樹脂のシートでできていて半分に折り曲げ重ね合わせて外壁部２と内壁部３となり外壁部２に逆止弁５を溶着し外壁部２の先端部１６と内壁部３の先端部１６を重ね合わせ溶着し外壁部３を外側にして円筒状に曲げて側端部１８同士と重ね合わせて溶着した状態を示す平面図である。
図３２は、筒体１に逆止弁５を溶着し外壁部３を外側にして円筒形に曲げて筒状にし、側端部１８を重ね合わせて溶着した状態を示す側面図である。
図３３は、筒体１に逆止弁５を溶着し側端部１８を円筒形に折り曲げて筒状にして側端部１８を重ね合わせて溶着した状態を示す平面図である。
図３４は、筒体１の側端部１８を重ね合わせ溶着した状態をしめす底面図である。
図３５は、図３３のＡ−Ａの位置を示す縦断面図である。
図３６は、筒体１を陰茎８の根元に被せた状態を示す縦断面図である。
図３７は、筒体１を陰茎８の根元に被せ逆止弁５から送気することにより内壁部３が内側に押され陰茎８の血液が亀頭に送られ勃起状態になった状態を示す縦断面図である。
図３８は、筒体１の逆止弁５の蓋１０を外した状態を示す斜視図である。
【産業上の利用可能性】
【００３７】  現在日本全国に勃起不全（ＥＤ）の方は１３００万人以上おられます。（日本の全人口１億２７００万人につき１０分の１の割合・世界人口は６８億２９００万人）ＥＤの要因は、心理的原因や身体的原因で起こるもので、その治療には病院での心のケアや、内服のＥＤ治療薬を処方されていると思います。しかし心臓の病気でニトログリセリンを服用されている患者さんや血圧のお薬を服用されていてＥＤ治療薬を服用できない患者さんもおられます。本考案はそんな患者さんに最適であり、また、漢方薬や精力剤で効果がない方にも適しています。また、上記のような深刻な問題にまでなっていない方にも、当然効果がありますので幅広い層の年代の方々に使用していただけるものと思われます。
また、短小や陰茎の細い方やコンドームの装着不良で悩んでおられる方、今まで以上に陰茎・亀頭を増大したい方に最適です。
また、これまで子作りをあきらめていた方も本考案を使用することによって子宝に恵まれることが期待できます。
これらの、さまざまな性の問題に悩んでおられる老若男女の方々に本考案を使用して  いただくことにより、すぐに悩みを解消していただくことができるものです。
【符号の説明】
【００３８】１  筒体
２  外壁部
３  内壁部
４  膨張壁部
５  逆止弁
５´逆止弁取付け用穴
６  空気室
７  溶着部
８  陰茎
９  亀頭
１０  蓋
１１  鍔
１２  吸引用ポンプ
１３  吸引用シリンダー
１４  ポンプ
１５  合成樹脂のシート（塩化ビニールシート）
１６  先端部
１７  末端部
１８  側端部
【図１】
0003164717.tif 000003
【図２】
0003164717.tif 000004
【図３】
0003164717.tif 000005
【図４】
0003164717.tif 000006
【図５】
0003164717.tif 000007
【図６】
0003164717.tif 000008
【図７】
0003164717.tif 000009
【図８】
0003164717.tif 000010
【図９】
0003164717.tif 000011
【図１０】
0003164717.tif 000012
【図１１】
0003164717.tif 000013
【図１２】
0003164717.tif 000014
【図１３】
0003164717.tif 000015
【図１４】
0003164717.tif 000016
【図１５】
0003164717.tif 000017
【図１６】
0003164717.tif 000018
【図１７】
0003164717.tif 000019
【図１８】
0003164717.tif 000020
【図１９】
0003164717.tif 000021
【図２０】
0003164717.tif 000022
【図２１】
0003164717.tif 000023
【図２２】
0003164717.tif 000024
【図２３】
0003164717.tif 000025
【図２４】
0003164717.tif 000026
【図２５】
0003164717.tif 000027
【図２６】
0003164717.tif 000028
【図２７】
0003164717.tif 000029
【図２８】
0003164717.tif 000030
【図２９】
0003164717.tif 000031
【図３０】
0003164717.tif 000032
【図３１】
0003164717.tif 000033
【図３２】
0003164717.tif 000034
【図３３】
0003164717.tif 000035
【図３４】
0003164717.tif 000036
【図３５】
0003164717.tif 000037
【図３６】
0003164717.tif 000038
【図３７】
0003164717.tif 000039
【図３８】
0003164717.tif 000040